(57)【要約】【課題】  複数の放射線画像撮影装置を効率よく使用して放射線撮影を行うことのできる放射線画像撮影システムを提供すること。【解決手段】  患者の放射線撮影を行う放射線画像撮影システムであって、患者の放射線撮影を行いかつ患者毎の撮影情報を表示する表示部を有する第１の放射線画像撮影装置と、患者の放射線撮影を行いかつ患者毎の撮影情報を表示する表示部を有する第２の放射線画像撮影装置と、前記第１の放射線画像撮影装置及び前記第２の放射線画像撮影装置にそれぞれ撮影予定の患者情報を送信するデータベースとを有し、前記第１の放射線画像撮影装置の表示部に表示される複数の患者情報の表示順序と、前記第２の放射線画像撮影装置の表示部に表示される複数の患者情報の表示順序とが異なることを特徴とする放射線画像撮影システム。【選択図】        図１
2005342537.tif 000002
【特許請求の範囲】
【請求項１】
患者の放射線撮影を行う放射線画像撮影システムであって、
患者の放射線撮影を行いかつ患者毎の撮影情報を表示する表示部を有する第１の放射線画像撮影装置と、
患者の放射線撮影を行いかつ患者毎の撮影情報を表示する表示部を有する第２の放射線画像撮影装置と、
前記第１の放射線画像撮影装置及び前記第２の放射線画像撮影装置にそれぞれ撮影予定の患者情報を送信するデータベースとを有し、
前記第１の放射線画像撮影装置の表示部に表示される複数の患者情報の表示順序と、前記第２の放射線画像撮影装置の表示部に表示される複数の患者情報の表示順序とが異なることを特徴とする放射線画像撮影システム。
【発明の詳細な説明】
【技術分野】
【０００１】
本発明は、病院等において診断等のために患者に対し放射線画像の撮影を行う放射線画像撮影システムに関するものである。
【背景技術】
【０００２】
従来から、患者の特定部位へ放射線の照射を行い半導体Ｘ線検出素子に画像情報を蓄積記録する放射線画像撮影装置が病院等の医療機関において使用されている。患者数の比較的多い病院等では、かかる放射線画像撮影装置を複数設置し、患者に対し放射線画像の撮影を行い、その後撮影した放射線画像の読み取りを行っている。
【０００３】
上述のような放射線画像撮影装置を複数設置した病院等では各装置をバランスよく使用し、複数の患者について各放射線撮影装置により効率よく放射線撮影を行うことが要求されている。
【発明の開示】
【発明が解決しようとする課題】
【０００４】
本発明の目的は、複数の放射線画像撮影装置を効率よく使用して放射線撮影を行うことのできる放射線画像撮影システムを提供することである。
【課題を解決するための手段】
【０００５】
上記目的を達成するため、本発明の放射線画像撮影システムは、患者の放射線撮影を行う放射線画像撮影システムであって、患者の放射線撮影を行いかつ患者毎の撮影情報を表示する表示部を有する第１の放射線画像撮影装置と、患者の放射線撮影を行いかつ患者毎の撮影情報を表示する表示部を有する第２の放射線画像撮影装置と、前記第１の放射線画像撮影装置及び前記第２の放射線画像撮影装置にそれぞれ撮影予定の患者情報を送信するデータベースとを有し、前記第１の放射線画像撮影装置の表示部に表示される複数の患者情報の表示順序と、前記第２の放射線画像撮影装置の表示部に表示される複数の患者情報の表示順序とが異なることを特徴とするものである。これにより、各表示部の表示順序により複数の患者の放射線撮影を行う際に、同一患者について各装置が同時に撮影の準備（例えばその装置が設置されている部屋に案内すること等）に入ることはないから、放射線撮影を効率よく行うことができる。
【発明の効果】
【０００６】
本発明によれば、複数の放射線画像撮影装置を効率よく使用して放射線撮影を行うことのできる放射線画像撮影システムを提供できる。
【発明を実施するための最良の形態】
【０００７】
以下、本発明による実施の形態について図面を用いて説明する。図１は本発明の実施の形態による放射線画像撮影読取システムの全体構成を示す図、図２は図１の受付入力装置の表示部及び放射線画像撮影読取装置の表示部に表示される撮影情報の例を示す図、及び図３は別の放射線画像撮影読取装置の表示部に表示される撮影情報の例を示す図である。
【０００８】
図１に示すように、この放射線画像撮影読取システムは、病院の放射線科等の受付事務を行う受付室Ａ（図の破線で示す）に設置された受付入力手段としての受付入力装置１０と、撮影室Ｂ（図の破線で示す）に設置され、患者が仰臥や伏臥等した状態で放射線撮影ができるとともにその撮影した放射線画像を読み取ることのできる第１のベッド型放射線画像撮影読取装置１１と、撮影室Ｃ（図の破線で示す）に設置された同様の第２のベット型放射線画像撮影読取装置１２と、受付入力装置１０で受け付けた患者情報等を記憶し登録するデータベース１５とを備えている。データベース１５は、受付入力装置１０、放射線画像撮影読取装置１１，１２と接続されており、受付入力装置１０に入力された患者情報等の撮影情報を記憶し、各装置１１，１２に送信する。
【０００９】
図１の受付入力装置１０は、患者情報等の撮影情報を表示できるＣＲＴ等から構成された表示部１０ａと、この所定情報をキー入力できる入力部１０ｂとを備えている。また、受付入力装置１０には、患者の識別カード等の記録カードを読取開口１７ａに差し込んで記録カードに記憶された受付情報等を読み取るリーダ１７が接続されており、その読み取った情報を受付入力装置１０に取り込むことができるようになっている。
【００１０】
図１の第１及び第２のベッド型放射線画像撮影読取装置１１，１２は、患者が仰臥等し放射線撮影をその上で行う撮影ベット１１ａ，１２ａと、放射線画像の撮影及び放射線画像の読み取りを制御するコントローラ１１ｂ，１２ｂと、撮影情報等を表示するＣＲＴ等からなる表示部１１ｃ，１２ｃとをそれぞれ備える。上述のベッド型放射線画像撮影読取装置１１，１２では、放射線の照射により放射線画像を蓄積記録する半導体Ｘ線検出素子を用い、この半導体Ｘ線検出素子に対し放射線を照射することによって画像情報を蓄積記録する。また、上述の患者情報等の撮影情報をその半導体Ｘ線検出素子に記録し、識別情報とすることができる。この画像情報の読み取り後、半導体Ｘ線検出素子の画像情報を消去し、次の放射線照射による画像記録に備えるようになっている。
【００１１】
図１に示すように、撮影室Ｂの前面には、放射線撮影を行う患者名や患者識別番号等を表示する表示器１６ｂが備えられており、同様に別の撮影室Ｃにもその前面に表示器１６ｃが備えられている。これらの表示器１６ｂ，１６ｃは、例えば液晶、ＬＥＤ、ＣＲＴ等から構成することができ、放射線画像撮影読取装置１１，１２のコントローラ１１ｂ，１２ｂと接続されており、コントローラ１１ｂ，１２ｂからの患者情報に基づいて例えば次の撮影を行う患者名や患者識別番号を表示する。これらの表示器１６ｂ，１６ｃは、放射線撮影の待合室Ｄ（図の破線で示す）から、撮影を待っている患者が見える位置に配置されている。
【００１２】
上述のような放射線画像撮影読取システムの動作を説明する。患者が受付室Ａで受付を済ませると、受付者は撮影情報としての患者情報を入力部１０ｂから受付入力装置１０に入力する。あるいは、患者のＩＤ記録カードをリーダ１７の読み取り開口１７ａに差し込んでその記録情報を読み取ることにより入力してもよく、この場合は、受付者を介さずに患者が直接にリーダ１７の読み取り開口１７ａに差し込んでもよい。この患者情報には、患者の氏名、性別、生年月日、患者識別番号（ＩＤ  Ｎｏ．）等の患者識別情報、撮影部位、撮影方法及び撮影用半導体Ｘ線検出素子のサイズ等がある。
【００１３】
次に、受付入力装置１０では、上述の撮影情報を患者毎に表示部１０ａに表示する。この表示の例を図２に示す。図のように、受付入力装置１０の表示部１０ａには、患者識別のための患者名９１と患者識別番号（ＩＤ  Ｎｏ．）９２を、また撮影部位９３をそれぞれ患者毎に例えば受付の順番に表示する。これにより、受付において患者全体の放射線撮影の状況を把握することができる。
【００１４】
次に、上述のように受付入力装置１０の表示部１０ａに表示された患者情報がデータベース１５に送信され、患者情報が記憶され登録される。そして、データベース１５から患者情報が第１の放射線画像撮影読取装置１１及び第２の放射線画像撮影読取装置１２に送信される。次に、第１の放射線画像撮影読取装置１１の表示部１１ｃには、図２に示したのと同様の複数の患者情報が同様の順序で表示される。一方、第２の放射線画像撮影読取装置１２の表示部１２ｃには、図３に示すように、同様の複数の患者情報が表示されるが、その順序が、図２の表示部１１ｃでは１−２−３−４−５−６のように表示されるのに対し、図３の表示部１２ｃでは２−１−４−３−６−５のように表示される。即ち、図３の表示部１２ｃでは、患者を２人づつに分け、その２人の順序を図２の表示部１１ｃとは逆になるように表示する。これにより、同一患者について各装置が同時に例えば表示器１６ｂ、１６ｃに表示することはないから、放射線撮影を効率よく行うことができる。
【００１５】
各放射線画像撮影読取装置１１，１２が設置された撮影室Ｂ、Ｃの表示器１６ｂ、１６ｃに、それぞれ１の患者と２の患者とが表示されて、放射線撮影が行われる。続いて、図２，図３で示す順序で上から順番に各患者について放射線撮影が行われる。
【００１６】
そして、各患者について放射線撮影が終了する毎に、各装置の表示部１１ｃ及び表示部１２ｃから同時にその終了した患者の患者情報を消去する。そして、各装置１１，１２では表示部１１ｃ、１２ｃの最上段の患者名を表示器１６ｂ、１６ｃに表示しながら、患者を撮影室Ｂ、Ｃに案内して放射線撮影を行う。このため、患者が放射線撮影読取装置１１，１２で重複することなく、順序よく放射線撮影を行うことができ、撮影読取装置を効率的に使用できる。
【００１７】
また、一方の撮影室で撮影に時間がかかった場合でも、撮影が終了しない限り患者の表示はいずれの表示部１１ｃ、１２ｃにも表示されているから、撮影が順調に行われている撮影室で未撮影の患者について順序よく放射線撮影を行うことができ、放射線画像撮影読取装置を更に効率的に使用できる。例えば、第１の放射線画像撮影読取装置１１で図２の患者１の撮影が行われ、また第２の放射線画像撮影読取装置１２で図３の患者２の撮影が行われた場合、第２の装置１２での患者２の撮影に時間がかかったときには、第１の装置１１は患者３，４と撮影を進め、撮影が終了すると、患者１，３，４とその表示を消去する。そして、第２の装置で患者２の撮影が終了すると、第２の装置１２の表示部１２ｃでは患者１，２，３，４の表示が消去されているから、第２の装置は患者６の撮影を引き続いて行うことができる。
【００１８】
以上のように、本実施の形態の放射線画像撮影システムによれば、各放射線画像撮影装置１１，１２の各表示部１１ｃ，１２ｃに同一の撮影情報を表示し、その患者の撮影が終了する度にその患者の撮影情報の表示を消去するから、各放射線画像撮影装置において放射線画像撮影装置全体における撮影の進行状況を知ることができる。これにより、各装置の表示部に表示された同一の撮影情報に基づいて、表示された未撮影の患者の順序に従い放射線撮影を行うことができる。このため、各放射線画像撮影装置を効率よく使用して放射線撮影を行うことが可能となる。
【００１９】
また、各放射線画像撮影装置１１，１２の各表示部１１ｃ、１２ｃにおいて放射線撮影の済んだ患者の撮影情報を、例えば反転表示したり、表示する色を変ること等により、その表示態様を変えるようにすることもできる。このように表示部１１ｃ、１２ｃにおける表示態様を変更することにより、放射線撮影の済んだ患者の撮影情報を各装置１１，１２において把握しかつ未撮影の患者の撮影情報及び撮影状況を把握することができる。
【００２０】
以上のように、本発明を実施の形態により説明したが、本発明はこれに限定されるものではなく、本発明の技術的思想の範囲内で種々の変形が可能である。例えば、半導体Ｘ線検出素子からレーザ走査光によりフォトマルチプライヤで放射線画像の読み取りを行う以外に、例えば、ＣＣＤ等の撮像素子を用いて放射線画像を読み取るようにしてもよい。また、各放射線画像撮影読取装置がデータベースから患者の撮影情報を読み出すように構成してもよい。
【図面の簡単な説明】
【００２１】
【図１】本発明の実施の形態による放射線画像撮影システムを示す図である。
【図２】図１の受付入力装置の表示部及び放射線画像撮影装置の表示部に表示される撮影情報の例を示す図である。
【図３】別の放射線画像撮影装置の表示部に表示される撮影情報の例を示す図である。
【符号の説明】
【００２２】
１０  受付入力装置
１１  第１のベット型放射線画像撮影読取装置
１２  第２のベット型放射線画像撮影読取装置
１１ｃ、１２ｃ  表示部
１５  データベース
１６ｂ、１６ｃ  表示器
【図１】
2005342537.tif 000003
【図２】
2005342537.tif 000004
【図３】
2005342537.tif 000005